(57)【要約】【課題】滑走抵抗を低減し、方向転換が敏捷に行なえ、滑走中に衝撃を受けた時、又はジャンプした時でもそのショックが吸収され、なおかつ構造が簡単なスノーボードを提供すること。【解決手段】雪上を滑走するスノーボードにおいて、上部に踏み板１を設け、下部に滑走版２を設け、これらの間に支持ブロック３を設け、さらにそれらを連結部材６で一体に連結固定してなるスノーボードであって、踏み板１と滑走版２の間の支持ブロック３を一点支持とし、さらに長手方向の両端には一対の緩衝弾性体４、５を設ける。【選択図】　　　図１
0003097407.tif 000002
【実用新案登録請求の範囲】
【請求項１】
上部に踏み板を設け、下部に滑走板を設け、これらの間に支持ブロックを設け、さらにそれらを連結部材で一体に固定連結してなるスノーボードにおいて、
前記踏み板と前記滑走板との間には前記支持ブロックを１個のみ設けると共に、この支持ブロックを前記踏み板と前記滑走板の長手方向中央部に配置したことを特徴とするスノーボード。
【請求項２】
前記踏み板と前記滑走板との間であって、前記踏み板のユーザの両脚が立つそれぞれの位置の直下に緩衝弾性体を設けたことを特徴とする請求項１記載のスノーボード。
【請求項３】
前記緩衝弾性体が弾性ゴム、コイルばね又は板ばねであることを特徴とする請求項２記載のスノーボード。
【請求項４】
前記支持ブロックは幅が滑走板の幅と同一であり、長さが５０〜３００ｍｍであり、厚みが５０〜１００ｍｍであることを特徴とする請求項１又は２記載のスノーボード。
【考案の詳細な説明】
【０００１】
【産業上の利用分野】
この考案は、スノーボードに関し、特に荷重が中央支持点に作用するようになされたスノーボードに関するものである。
【０００２】
【従来の技術】
現在、一般に使われているユーザが両脚で上に立ってバランスを取りながら雪上を滑走できるようにしたスノーボードは、例えば、図２（Ａ）に示すように、主として両端がやや上向きに反った形状をなす上板である踏み板１’及び同様に上向きに反った下板である滑走板２’と、それらの間であってユーザが両脚で立つそれぞれの位置の直下に設けられた一対の支持ブロック３’とをねじ等の連結部材で一体に固定連結したものである。
【０００３】
【考案が解決しようとする課題】
しかし、図２（Ｂ）及び図２（Ｃ）から理解できるように、現行のスノーボードには次のような欠点があった。
（１）ユーザが踏み板１’の上に立った際に、その荷重Ｐが両支点に作用するために、滑走板２’は底面及び側面共に連続した３つの反りＲ１、Ｒ２、Ｒ３を持つ断面が形成された状態で接雪することになる。そのために、直線滑走の時には抵抗が相対的に増して速度が低下してしまう。また、方向転換の時には敏捷に行なえなくなってしまう。
（２）加えて、弾性及び緩衝性が十分ではなく、滑走中に何らかの衝撃を受けた時、あるいはジャンプをした時等のショックが大きいために、ユーザは疲れを感じやすい。
【０００４】
【課題を解決するための手段】
本考案の主な目的は、前記現行のスノーボードが抱える滑走抵抗が大きく、方向転換が敏捷に行なえないことと弾性及び緩衝性不十分という欠点を除き、滑走抵抗が小さく、方向転換が敏捷に行なえると共に、弾性及び緩衝性に優れたスノーボードを提供することにある。
【０００５】
前記目的を達成するために、本願の請求項１に係る考案は、上部に踏み板１を設け、下部に滑走板２を設け、これらの間に支持ブロック３を設け、さらにそれらを連結部材６で一体に固定連結してなるスノーボードにおいて、前記踏み板１と前記滑走板２との間には、前記支持ブロック３を１個のみ設けると共に、この支持ブロック３を前記踏み板１と前記滑走板２の長手方向中央部に配置したことを特徴とする。
【０００６】
また、本願の請求項２に係る考案は、前記スノーボードにおいて、前記踏み板１と前記滑走板２との間であって、前記踏み板１のユーザの両脚が立つそれぞれの位置の直下には緩衝性弾性体４、５を設けたことを特徴とする。
【０００７】
また、本願の請求項３に係る考案は、前記スノーボードにおいて前記緩衝弾性体４、５が弾性ゴム、コイルばね又は板ばねであることを特徴とする。
また、本願の請求項４に係る考案には、前記スノーボードにおいて、前記支持ブロック３の幅が滑走板２の幅と同一であり、長さを５０〜３００ｍｍとし、厚みを５０〜１００ｍｍであることを特徴とする。
【０００８】
本考案は、以上の如く上部踏み板１と下部の滑走板２との間の支持方式を支持ブロックで１点支持とし、さらに、長手方向の両端には２つの緩衝弾性体４、５を設けたことにより、滑走抵抗が低減されるばかりでなく、方向転換が敏捷に行なえるようになる。さらに滑走中に衝撃を受けた時、又はジャンプした時でもそのショックが吸収されるので、ショックが低減し、安定した滑走ができるようになる。加えて構造が簡単であるので、従来の欠点をすべて解消することができる。
【０００９】
【実施例】
以下、図１（Ａ）を参照して本考案の実施例について説明する。
本考案に係るスノーボードは、上方に設けられ、合成樹脂を使用し長手方向の両端をやや上方に反らして積層成形してなる踏み板１と、この踏み板１の下方に位置し、軽くて比較的弾性に富む複合材料を積層成形してなる滑走板２と、これらの踏み板１と滑走板２との間であって、それらの中心位置の設けられると共に、複数の連結部材６でそれらを一体に固定連結させられている支持ブロック３とからなる。
さらに、踏み板１と滑走板２の間であって、前記踏み板１のユーザの両脚が立つ位置の直下にはそれぞれ緩衝弾性体４、５が設けられている。本考案においては、前記緩衝弾性体４、５は、弾性ゴム、コイルばね又は板ばね等の内何れかで構成することができ、連結部材６はボルト、リベット又はビス等の何れかを使用することができる。また、前記支持ブロック３は、その幅を滑走板２の幅と同一にし、長さを約５０〜３００ｍｍの範囲とし、厚みを５０〜１００ｍｍとした。
【００１０】
次に、図１（Ｂ）及び図１（Ｃ）を参照すると、本考案によれば、ユーザが滑走姿勢の両脚で立つと、荷重Ｐは中央部の支持点上に作用することになるために、滑走板１の底面及び側面には共に１つのみの反りＲを持つ断面を形成した状態で接雪することになる。従ってこれにより滑走抵抗が相対的に低減されて速度が増加する。また、滑走板２の側面にも一つの反りＲが形成されるために、方向転換が敏捷に行なえるようになる。
【００１１】
また本考案によれば、前記踏み板１と滑走板２とは、中央部に設けられた１点（支持ブロック３）支持方式によって支持し、さらに、長手方向の両端にはそれぞれ緩衝弾性体４、５を設けたので、滑走抵抗が低減し、方向転換が敏捷に行なえるようになるばかりでなく、滑走中に衝撃を受けた時、又はジャンプした時でもショックを低減して安定に滑走することができる。さらに、構造が簡単であるので産業上の利用価値を備えているものである。
【００１２】
以上、本考案の好適な実施例について説明したが、本考案は前記実施例に限定されるものではなく、本考案の請求項の範囲を逸脱しない範囲での変化や改善もすべて包含されるものと考えられるべきである。
【００１３】
【考案の効果】
以上説明したように、本考案によれば、滑走抵抗が低減され、方向転換が敏捷に行なえるようになるばかりでなく、滑走中に衝撃を受けた時、又はジャンプした時のショックが低減され、安定して滑走できる。しかも、構造が簡単であるので、新規性と進歩性に富む産業上利用価値のある考案である。
【図面の簡単な説明】
【図１】図１（Ａ）は本考案に係るスノーボードの構造を示す立体図、同図（Ｂ）は本考案に係るスノーボードで直線滑走、即ち底面と雪面とが平行状態の時の滑走板の状態を説明する図、同図（Ｃ）は本考案に係るスノーボードで方向転換時の滑走板の状態を説明する図、
【図２】図２（Ａ）は従来のスノーボードの構造を示す図、同図（Ｂ）は従来のスノーボードで直線滑走、即ち底面と雪面とが平行状態の時の滑走板の状態を説明する図、同図（Ｃ）は従来のスノーボードで方向転換時の滑走板の状態を説明する図、
【符号の説明】
１　　　　踏み板
２　　　　滑走板
３　　　　支持ブロック
４、５　　緩衝弾性体
６　　　　連結部材
Ｐ　　　　荷重
Ｒ　　　　反り
【図１】
0003097407.tif 000003
【図２】
0003097407.tif 000004